(57)【特許請求の範囲】
【請求項１】
管流路を有し、前記管流路における渦検出を行う渦検出器等の電気部品を内蔵した上方開口箱形の樹脂製の本体ケースと、前記本体ケースに着脱可能に取り付けられて前記本体ケースの上方開口部を蓋する樹脂製の蓋体とを有し、
前記蓋体には前記本体ケースの互いに平行な外壁面にそれぞれ形成された段差状の逆止爪係合部にそれぞれ逆止係合する逆止爪をそれぞれ有する一対のスナップフィット片が設けられ、
前記本体ケースには前記逆止爪が前記逆止爪係合部に逆止係合した状態の前記スナップフィット片の先端縁と両側縁とを取り囲む取外し禁止防護形状部が設けられ、
前記禁止防護形状部の裏側には、前記上方開口部と反対側の下底部から前記逆止爪係合部の段差面まで連通している、専用工具のみ抜き差し挿入可能な専用工具進入孔が形成され、
前記逆止爪が鈎形部と傾斜面とを有する逆止形状をなし、蓋体装着時には、前記傾斜面が前記本体ケースの外壁面に当接して前記スナップフィット片が互いに広がる方向に撓ませらながら逆止係合方向に移動され、蓋体装着最終位置にて、前記鈎形部が前記逆止爪係合部に落ち込んで前記逆止爪が前記逆止爪係合部に逆止係合され、
前記専用工具の係合解除片が前記本体ケースの下底部側から前記専用工具進入孔に挿入されて前記係合解除片の先端部により前記逆止爪の前記傾斜面が下側から上方へ押されることにより、前記逆止爪係合部に落ち込んでいる前記逆止爪係合部から離脱されるように前記スナップフィット片が撓まされて前記逆止爪と前記逆止爪係合部との逆止係合が外されるようにした
ことを特徴とする渦流量計。
【請求項２】
前記本体ケースの上方開口縁に形成されたパッキン溝に気密密閉用のパッキンが装着され、
前記蓋体には前記スナップフィット片の配置部位において前記本体ケースの内壁面に係合する裏抑え片が設けられていることを特徴とする請求項１記載の渦流量計。
【発明の詳細な説明】
【０００１】
【発明の属する技術分野】
この発明は、渦流量計に関し、特に、渦流量計の外箱（ケース）構造に関するものである。
【０００２】
【従来の技術】
渦流量計は、管流路を有し、前記管流路におけるカルマン渦等の渦検出を行う渦検出器等の電気部品を内蔵した上方開口箱形の本体ケースと、前記本体ケースに着脱可能に取り付けられて前記本体ケースの上方開口部を蓋する蓋体とによる外箱構造によってパッケージされている（例えば、特許文献１）。
【０００３】
従来品における本体ケースに対する蓋体の固定は、ねじ止め、ラッチ金具等により行われている。ケース内部の防水が必要な場合には、脱フッ素処理部を設け、ここを接着剤によって封止することが行われる。
【０００４】
【特許文献１】
特開２０００−３２１１０２号公報
【０００５】
【発明が解決しようとする課題】
ねじ止め、ラッチ金具等によって蓋体の固定が行われる従来の渦流量計では、一般工具や無工具の手操作によって蓋体が簡単に取り外せることができ、ユーザサイドでの誤った分解、改造を、未然に防止する対策、いわゆるタンパ・セーフィングが講じられていない。
【０００６】
これとは逆に、接着剤によって封止されたものは、蓋体を破壊しない限り、計測器内部の状態を見ることができず、定期点検や修理を行う場合には、スペアの蓋体を用意する必要が生じる。
【０００７】
この発明は、上述の如き問題点を解消するためになされたもので、メンテナンスマン等による定期的な点検や修理を簡便に行えることと、ユーザサイドでの誤った分解、改造を、未然に防止することとを両立し、しかも、接着剤等を用いることなくケース内部を信頼性の高い防水気密構造にできる渦流量計を提供することを目的としている。
【０００８】
【課題を解決するための手段】
上述の目的を達成するために、この発明による渦流量計は、管流路を有し、前記管流路における渦検出を行う渦検出器等の電気部品を内蔵した上方開口箱形の樹脂製の本体ケースと、前記本体ケースに着脱可能に取り付けられて前記本体ケースの上方開口部を蓋する樹脂製の蓋体とを有し、前記蓋体には前記本体ケースの互いに平行な外壁面にそれぞれ形成された段差状の逆止爪係合部にそれぞれ逆止係合する逆止爪をそれぞれ有する一対のスナップフィット片が設けられ、前記本体ケースには前記逆止爪が前記逆止爪係合部に逆止係合した状態の前記スナップフィット片の先端縁と両側縁とを取り囲む取外し禁止防護形状部が設けられ、前記禁止防護形状部の裏側には、前記上方開口部と反対側の下底部から前記逆止爪係合部の段差面まで連通している、専用工具のみ抜き差し挿入可能な専用工具進入孔が形成され、前記逆止爪が鈎形部と傾斜面とを有する逆止形状をなし、蓋体装着時には、前記傾斜面が前記本体ケースの外壁面に当接して前記スナップフィット片が互いに広がる方向に撓ませらながら逆止係合方向に移動され、蓋体装着最終位置にて、前記鈎形部が前記逆止爪係合部に落ち込んで前記逆止爪が前記逆止爪係合部に逆止係合され、前記専用工具の係合解除片が前記本体ケースの下底部側から前記専用工具進入孔に挿入されて前記係合解除片の先端部により前記逆止爪の前記傾斜面が下側から上方へ押されることにより、前記逆止爪係合部に落ち込んでいる前記逆止爪係合部から離脱されるように前記スナップフィット片が撓まされて前記逆止爪と前記逆止爪係合部との逆止係合が外されるようにしたことを特徴とする。
【０００９】
この発明による渦流量計によれば、本体ケースに対して蓋体を取り付ける蓋体装着時には、傾斜面が本体ケースの外壁面に当接してスナップフィット片が互いに広がる方向に撓ませらながら逆止係合方向に移動され、蓋体装着最終位置にて、鈎形部が逆止爪係合部に落ち込んで逆止爪が逆止爪係合部に逆止係合されることで、本体ケースに対する蓋体の取り付けは、工具を必要とすることなくワンタッチで行うことができる。そして、本体ケースの取外し禁止防護形状部によりスナップフィット片の先端縁と両側縁とが取り囲まれることから、本体ケースの逆止爪係合部に対する逆止係合を離脱させるようにスナップフィット片の逆止爪係合部を変形移動させることが事実上不可能になり、蓋体を本体ケースより取り外すことができなくなる。
【００１１】
この発明による渦流量計によればまた、取外し禁止防護形状部の裏側には、上方開口部と反対側の下底部から逆止爪係合部の段差面まで連通している、専用工具のみ抜き差し挿入可能な専用工具進入孔が形成され、専用工具の係合解除片が本体ケースの下底部側から専用工具進入孔に挿入されて係合解除片の先端部により逆止爪の傾斜面が下側から上方へ押されることにより、逆止爪係合部に落ち込んでいる逆止爪係合部から離脱されるようにスナップフィット片が撓まされて逆止爪と逆止爪係合部との逆止係合が外されるようにしたことで、蓋体の本体ケースからの取り外しは、専用工具を用いて簡単に行うことができる。しかも、専用工具進入孔が取外し禁止防護形状部の裏側に上方開口部と反対側の下底部から逆止爪係合部の段差面まで連通して形成されていて、専用工具進入孔の存在すら分からなくなっているので、専用工具以外の手段によって無闇に蓋体が本体ケースより取り外されることも防ぐことができる。
【００１４】
また、この発明による渦流量計は、前記本体ケースの上方開口縁に形成されたパッキン溝に気密密閉用のパッキンが装着され、前記蓋体には前記スナップフィット片の配置部位において前記本体ケースの内壁面に係合する裏抑え片が設けられている。
【００１５】
この発明による渦流量計によれば、本体ケースのパッキン溝に装着されたパッキンによってケース内部が防水気密構造になり、蓋体のスナップフィット片配置部位に裏抑え片が設けられていることにより、スナップフィット片の係合力やパッキン反発力によってパッキン取付部分の本体ケース壁がケース内側に倒れ込み変形することが抑制され、所要のパッキン圧縮率を確保できる。これにより、信頼性の高い防水気密性が得られる。
【００１６】
【発明の実施の形態】
以下に添付の図を参照してこの発明の実施の形態を詳細に説明する。
図１〜図３はこの発明による渦流量計の一つの実施の形態を示している。
【００１７】
図１に示されているように、渦流量計は、外箱構造として、上方開口箱形の樹脂製の本体ケース１０と、計測器用回路基板（図示省略）等を内蔵し、本体ケース１０に着脱可能に取り付けられて本体ケース１０の上方開口部を蓋する樹脂製の蓋体２０とを有する。図２に示されているように、本体ケース１０は、その内部に、管流路１１を有し、管流路１１における渦検出を行う渦検出器等の電気部品（図示省略）を内蔵した蓋体２０には、図１に示されているように、電源供給線、信号線等のリード線２１が設けられている。
【００１８】
本体ケース１０の図２で見て左右両側の互いに平行な外壁面には段差状の逆止爪係合部１２がそれぞれ成形されている。蓋体２０には左右両側の逆止爪係合部１２にそれぞれ逆止係合する逆止爪２３を有する一対のスナップフィット片２２が一体成形されて設けられている。逆止爪２３は、鈎形部２３Ａと傾斜面２３Ｂとを有する一般的な逆止形状をなしている。
【００１９】
本体ケース１０の左右両側の外壁面には、逆止爪２３が逆止爪係合部１２に逆止係合した状態のスナップフィット片２２の先端縁２２Ａと両側縁２２Ｂ、２２Ｃを取り囲む取外し禁止防護形状部１３を有する。
【００２０】
取外し禁止防護形状部１３は、図１に示されているように、本体ケース１０の一般外壁面１４より突出した凹溝形（横転コの字形）をなし、スナップフィット片２２の先端面、両側面が外部に露出しないよう、スナップフィット片２２の先端縁２２Ａと両側縁２２Ｂ、２２Ｃを取り囲んでいる。
【００２１】
取外し禁止防護形状部１３は、スナップフィット片２２の先端面が外部に露出しないようにする部分１３Ａと、スナップフィット片２２の両側面が外部に露出しないようにする部分１３Ｂ、１３Ｃによって横転コの字形をなしている。
【００２２】
取外し禁止防護形状部１３の部分１３Ｂ、１３Ｃは互いに平行に設けられており、この部分１３Ｂ、１３Ｃ間にスナップフィット片２２が抜き差し係合する。部分１３Ｂ、１３Ｃにはスナップフィット片２２の進入を案内する入口傾斜部１３Ｄ、１３Ｅが形成されている。
【００２３】
取外し禁止防護形状部１３の部分１３Ａの裏側には、図２に想像線で示されている専用工具１００のみ抜き差し挿入可能な専用工具進入孔１５が、図２及び図３に示されているように形成されている。専用工具進入孔１５は本体ケース１０の上方開口部と反対側の下底部から逆止爪係合部１２の段差面まで連通している。専用工具１００は、一般工具でない非市販品であり、図２に示されているように、一対の係合解除片１０１を有する。
【００２４】
係合解除片１０１は、本体ケース１０の下底部側から専用工具進入孔１５に挿入され、係合解除片１０１の先端部が逆止爪２３の傾斜面２３Ｂを下側から上方へ押すことにより、逆止爪２３が逆止爪係合部１２との逆止係合より離脱する。
【００２５】
本体ケース１０の上方開口縁の外側にはパッキン溝１６が形成されている。パッキン溝１６にはゴム弾性体による気密密閉用のパッキン１７が装着されている。
【００２６】
蓋体２０にはスナップフィット片２２の配置部位（長辺側の水平方向における中央）において本体ケース１０の内壁面１４Ｃに係合する裏抑え片２４が一体成形されている。なお、この実施形態では、蓋体２０の残りの２辺（短辺側）の水平方向における中央にも裏抑え片２５が一体成形されている。
【００２７】
蓋体装着時には、上述の一対のスナップフィット片２２は、逆止爪２３の傾斜面２３Ｂが本体ケース１０の外壁面１４Ｂに当接して互いに広がる方向に撓みながら逆止係合方向（下方）へ障害なく進み、図２に示されているように、蓋体装着最終位置にて、逆止爪２３の鈎形部２３Ａが逆止爪係合部１２に落ち込み、逆止爪２３が逆止爪係合部１２にそれぞれ逆止係合する。
【００２８】
これにより、蓋体２０の取り付けがワンタッチで行われ、蓋体２０の取付完了と同時にパッキン１７が本体ケース１０と蓋体２０との間に弾性変形状態で挟まれ、ケース内部が防水気密状態になる。
【００２９】
また、蓋体２０の取付完了状態では、裏抑え片２４、２５が本体ケース１０の内壁面１４Ｃに係合することにより、スナップフィット片２２の係合力やパッキン反発力によってパッキン取付部分の本体ケース壁がケース内側に倒れ込み変形することが抑制され、所要のパッキン圧縮率が確保される。これにより、信頼性の高い防水気密性が得られる。
【００３０】
定期的な保守点検や修理時には、メンテナンスマン等、所有者が限られている専用工具１００を用い、専用工具１００の係合解除片１０１を本体ケース１０の下底部側から専用工具進入孔１５に挿入する。この挿入によって係合解除片１０１の先端部が逆止爪２３の傾斜面２３Ｂを下側から上方へ押すことにより、逆止爪２３が逆止爪係合部１２との逆止係合より離脱するように、一対のスナップフィット片２２が互いに広がる方向に撓まされる。これにより、蓋体２０が本体ケース１０より取り外される。
【００３１】
上述したように、蓋体２０の取り付け、取り外しが行われるから、メンテナンスマン等による定期的な点検や修理を簡便に行えることと、ユーザサイドでの誤った分解、改造を、未然に防止することとが両立し、しかも、接着剤等を用いることなくケース内部を信頼性の高い防水気密構造にできる。
【００３２】
【発明の効果】
以上の説明から理解される如く、この発明による渦流量計によれば、メンテナンスマン等による定期的な点検や修理を専用工具進入孔への専用工具の挿入により簡便に行えることと、専用工具進入孔の存在すら分からなくしてユーザサイドでの誤った分解、改造を、未然に防止することとが両立し、有効なタンパ・セーフィングが図られる。
【図面の簡単な説明】
【図１】この発明による渦流量計の一つの実施形態を示す正面図である。
【図２】図１の線Ａ−Ａに沿った断面図である。
【図３】図２の線Ｂ−Ｂに沿った断面図である。
【符号の説明】
１０  本体ケース
１１  管流路
１２  逆止爪係合部
１３  取外し禁止防護形状部
１４  一般外壁面
１５  専用工具進入孔
１６  パッキン溝
１７  パッキン
２０  蓋体
２１  リード線
２２  スナップフィット片
２３  逆止爪
２４、２５  裏抑え片
１００  専用工具
１０１  係合解除片
【図１】
0004381728.tif 000002
【図２】
0004381728.tif 000003
【図３】
0004381728.tif 000004